(57)【要約】本発明は、表面（Ｓ）、例えば皮膚、爪、毛髪又は口唇にメイクアップを施与するための方法であって、以下の工程、流動状態の少なくとも１の第一化粧料組成物を表面（Ｓ）の上に堆積する工程、ただし該組成物は磁場の影響下で可動性である磁性粒子（Ｐ）を含む；及び第一組成物の少なくとも一部を磁場に暴露して、磁性粒子（Ｐ）の少なくとも一部を配向させる及び／又は移動させて、第一組成物の外観を変更する工程、を含む方法に関する。【選択図】図１
2008515474.tif 000002
【特許請求の範囲】
【請求項１】
表面（Ｓ）、例えば皮膚、爪、毛髪、又は口唇にメイクアップを施与する、以下の工程を含む方法、
流動状態の少なくとも１の第一化粧料組成物（Ｃ１）を表面（Ｓ）の上に堆積する工程、ここで前記組成物は磁場の影響下で可動性である磁性粒子（Ｐ）を含む；及び
第一組成物（Ｃ１）の少なくとも一部を磁場に暴露して、磁性粒子（Ｐ）の少なくとも一部を配向させる及び／又は移動させる工程。
【請求項２】
磁場がかけられて、第一組成物（Ｃ１）の上に少なくとも１の模様を形成することを特徴とする、請求項１に記載の方法。
【請求項３】
磁場がかけられて、第一組成物（Ｃ１）が施与された顔又は体の少なくとも１の領域の透明さ及び／又は色に立体感をもたせるようにすることを特徴とする、請求項１に記載の方法。
【請求項４】
磁場が永久磁石（１２）によりかけられることを特徴とする、請求項１〜３のいずれか１項に記載の方法。
【請求項５】
磁石（１２）が回転されることを特徴とする、請求項４に記載の方法。
【請求項６】
磁場が電磁石（４０）によりかけられることを特徴とする、請求項１〜３のいずれか１項に記載の方法。
【請求項７】
電磁石（４０）が、随意に再充電可能な少なくとも１の電池により作動されることを特徴とする、請求項６に記載の方法。
【請求項８】
電磁石（４０）がユーザーにより選択的にスイッチオンされることを特徴とする、請求項６又は７のいずれか１項に記載の方法。
【請求項９】
第一組成物（Ｃ１）が固定された外観を得るまで磁場がかけられることを特徴とする、請求項１〜８のいずれか１項に記載の方法。
【請求項１０】
暴露された領域（Ｒ）中の磁性粒子のすべてが永久的に移動される及び／又は配向させられる時間より短い時間で、磁場がかけられることを特徴とする、請求項１〜８のいずれか１項に記載の方法。
【請求項１１】
第一組成物（Ｃ１）で被覆された表面（Ｓ）の異なる領域（Ｒ）に磁場が逐次的にかけられることを特徴とする、請求項１〜１０のいずれか１項に記載の方法。
【請求項１２】
磁場が、互いに離れた表面（Ｓ）の領域にかけられることを特徴とする、請求項１１に記載の方法。
【請求項１３】
第一組成物で被覆された表面（Ｓ）の少なくとも１の領域が、磁場に曝されないことを特徴とする、請求項１〜１２のいずれか１項に記載の方法。
【請求項１４】
第一組成物（Ｃ１）が化粧料アプリケーター（４）により施与されることを特徴とする、請求項１〜１３のいずれか１項に記載の方法。
【請求項１５】
アプリケーター（４）がブラシ（５）、房にされた末端部（２０）、又はフォームを含むことを特徴とする、請求項１４に記載の方法。
【請求項１６】
アプリケーター（４）が非磁性であることを特徴とする、請求項１４又は１５のいずれか１項に記載の方法。
【請求項１７】
磁性粒子（Ｐ）が、鉄、ニッケル、コバルト、及びそれらの合金及び酸化物、特にFe3O4により構成された群から選択された磁性物質を含むことを特徴とする、請求項１〜１６のいずれか１項に記載の方法。
【請求項１８】
第一組成物（Ｃ１）が、磁性粒子及び非磁性粒子を含むことを特徴とする、請求項１〜１７のいずれか１項に記載の方法。
【請求項１９】
第一組成物（Ｃ１）が、穴の開いたマスク（７０）を通して表面（Ｓ）に施与されることを特徴とする、請求項１〜１８のいずれか１項に記載の方法。
【請求項２０】
磁場を通すシート（７５）を通して磁場がかけられることを特徴とする、請求項１〜１９のいずれか１項に記載の方法。
【請求項２１】
所与の乾燥時間の後、磁場の影響下で磁性粒子（Ｐ）がその配向を変えることを妨げる状態を第一組成物（Ｃ１）がとることを特徴とする、請求項１〜２０のいずれか１項に記載の方法。
【請求項２２】
請求項１〜２１のいずれか１項に記載の方法を実施するためのキット（１）において
磁場が作られることを可能にする磁性デバイス（１０）；及び
磁場の影響下で可動性である磁性粒子を含む化粧料組成物（Ｃ１）、
を含むキットであって、上記磁性デバイスは、前記組成物の堆積物中の被覆されたケラチン物質が前記磁場に挿入されたときに、堆積物内において磁性体の配向及び／又は位置を変更することのできる磁場を作りだすことができるキット。
【請求項２３】
組成物（Ｃ１）がマニュキア液であることを特徴とする、請求項２２に記載のキット。
【請求項２４】
組成物がファンデーションであることを特徴とする、請求項２２に記載のキット。
【請求項２５】
組成物が口紅であることを特徴とする、請求項２２に記載のキット。
【請求項２６】
磁性粒子（Ｐ）が、鉄、ニッケル、コバルト、及びそれらの合金及び酸化物、特にＦｅ３Ｏ４により構成された群から選択された磁性物質を含むことを特徴とする、請求項２２〜２５のいずれか１項に記載のキット。
【請求項２７】
磁性粒子（Ｐ）が非球状であることを特徴とする、請求項２２〜２６のいずれか１項に記載のキット。
【請求項２８】
磁性デバイス（１０）が磁石（１２）を含むことを特徴とする、請求項２２〜２７のいずれか１項に記載のキット。
【請求項２９】
磁性デバイス（１０）が電磁石（４０）を含むことを特徴とする、請求項２２〜２７のいずれか１項に記載のキット。
【請求項３０】
磁性デバイス（１０）が、電磁石（４０）が電気で選択的に作動されることを可能にするスイッチ（４５）を含むことを特徴とする、請求項１〜２９のいずれか１項に記載のキット。
【請求項３１】
磁性デバイス（１０）が、回転磁場を作り出すようにアレンジされ、特に磁石（１２）及び、磁石（１２）が回転されることを可能にするモーターを含むことを特徴とする、請求項２２〜３０のいずれか１項に記載のキット。
【請求項３２】
磁性デバイス（１０）が、第一組成物（Ｃ１）が堆積された表面（Ｓ）に相対的に磁性デバイス（１０）が位置付けられることを可能にする部材（１７）を含むことを特徴とする、請求項２２〜３１に記載のキット。
【請求項３３】
磁性デバイス（１０）が、化粧料組成物（Ｃ１）を施与するために使用されるアプリケーター（４）に保持されていることを特徴とする、請求項２２〜３２のいずれか１項に記載のキット。
【請求項３４】
磁性デバイス（１０）が、化粧料組成物を施与するために使用されるアプリケーターのハンドルに接続された第二の端を有するロッドの第一の端に取付けられた磁石（１２）を含むことを特徴とする、請求項２２〜３３のいずれか１項に記載のキット。
【請求項３５】
化粧料組成物（Ｃ１）及び磁性デバイス（１０）を格納するコンパクト（３０）を含むことを特徴とする、請求項２２〜３４のいずれか１項に記載のキット。
【発明の詳細な説明】
【技術分野】
【０００１】
本発明は、表面、例えば皮膚、爪、毛髪、口唇、又は付け爪さえにメイクアップを施与するための方法に関し、またそのような方法を実施するための種々のキットにも関する。
【０００２】
本発明の文脈において使用される用語「化粧料組成物」は、１９９３年６月１４日付けのＥＥＣ指令書９３／３５補正ＥＥＣ指令書７６／７６８(EEC Directive 93/35 modifying EEC Directive 76/768)において定義された組成物を意味する。ファンデーション、口紅、及びマニュキア液は化粧料組成物の例である。
【０００３】
メイクアップの分野において新規な外観の効果から利益を得る必要性が存在し、本発明はその必要性を満足させることを探求する。
【発明の開示】
【課題を解決するための手段】
【０００４】
メイクアップを施与するための方法
本発明の１の側面に従うと、本発明は表面にメイクアップを施与するための方法であって、以下の工程を含む方法である：
流動状態の少なくとも１の第一化粧料を表面の上に堆積すること、該組成物は磁場の影響下で可動性である磁性粒子を含む工程；及び
第一組成物の少なくとも一部を磁場に暴露して、磁性粒子の少なくとも一部を配向させる及び／又は移動させる(orientate and/or displace）工程。
【０００５】
磁場への暴露は、第一組成物の外観を変更することができる。
【０００６】
すなわち、本方法は、第一組成物の少なくとも一部を磁場に暴露して、磁性粒子の少なくとも１のフラクションを配向させて、及び／又は移動させて、そして第一組成物の外観を変更することからなる工程を含み得る。
【０００７】
第一組成物上に少なくとも１の模様、該模様は例えば磁力線の形状に関連されている、を形成するように磁場がかけられてもよい。
【０００８】
本発明は新規なメイクアップ効果を単独の化粧料組成物で創り出すことを可能にし、レリーフ状の模様が作り出されることを可能にし、例えば又はレリーフの印象、又は場合によって種々の他の幾何学模様を与える。
【０００９】
第一組成物が施与された顔又は体の少なくとも１の領域の透明さ及び／又は色に立体感をもたせるように、磁場がかけられてもよい。
【００１０】
例えば、化粧料組成物がファンデーションであるとき、磁場の影響下で粒子を配向させることは、組成物の透明さを変更して、そして、もしそのように所望されるならば明るい領域及び暗い領域の間の鋭い変化なしに、磁場に暴露された領域における顔の外観に立体感をもたせること、特にカメオタイプのメイクアップを施与することを可能にする。例えば、顔の横を暗くして、本来より細く見えることを可能にするために磁場がかけられ得る。
【００１１】
本発明の実施において、第二化粧料組成物の層が、例えば深さ、光沢、滑らかさ、又は他の効果を得る目的で、施与される。第二組成物は透明であってもよく、場合によって着色されていてもよい。例えば、第二組成物は、口唇及び爪への施与のためであってもよい。着色されたベースを作る、又は例えば第一組成物の保持及び／又は快適さを改善するために、第二組成物は、第一組成物の前に表面に施与されてもよい。
【００１２】
磁場は、第一組成物が固定された外観を得るまで、すなわちもし磁場が存在し続けたとしても該組成物の外観が変化することを止めるまでかけられてもよい。変形においては、磁場は、暴露された領域の磁性粒子のすべてが永久的に移動される、及び／又は配向されるようにする時間より短い時間でかけられてもよい。
【００１３】
第一組成物の透明さ及び／又は色は磁場の影響下で徐々に変化するので、第一組成物が所望される外観を示すときにユーザーは磁性粒子を場に付すことを止めることができる。
【００１４】
本発明の実施において、磁場は磁性シートを通してかけられる。該シートの形状に依存して、磁力線は種々の形状を有し、そうすることにより例えば単一の磁石で作り出されることのできる模様の数を増加させることを可能にする。
【００１５】
磁場は、第一組成物で被覆された表面の異なる領域に逐次的にかけられてもよい。
【００１６】
磁場は、例えば離れた模様を作るように、互いに離れた表面の領域にかけられてもよい。
【００１７】
第一組成物が堆積された後、該領域の第一組成物の外観を変化させないようにするためには、第一組成物で被覆された表面の領域は磁場に暴露される必要はない。
【００１８】
表面の２つの領域は磁場に不均等に暴露されてもよい。
【００１９】
第一組成物は種々の方法で、例えば好ましくは非磁性であり、例えばブラシ、房にされた末端部(flocked endpiece)、フォーム(foam)から選択された化粧料アプリケーターにより施与され得る。又はアプリケーターを使用することなしに施与され得、第一組成物が例えば指で広げられ、又は噴霧されてもよい。
【００２０】
本発明の実施において、第一組成物は穴のあいているマスクを通して表面に施与される。これは例えば穴の形状に対応する予め決定された模様を作ることを可能にする。第一組成物において被覆された表面の少なくとも１の領域が、その後磁場に暴露され得る。
【発明を実施するための最良の形態】
【００２１】
第一化粧料組成物
所与の乾燥時間の後、第一組成物は、磁性粒子が磁場の影響下でその配向をさらに変えることを妨ぐ状態を取り得る。これは例えばマニュキア液に当てはまる。ある状況下では、磁性粒子の配向は、任意の時に、特に第一組成物が乾燥しないとき、又は非常に長い乾燥時間を示すときにもまた変更され得る。これは例えばファンデーションに当てはまり得る。
【００２２】
上述されたように、第一組成物は、種々の形態で提示され得る磁性粒子を含む。
【００２３】
磁性粒子
用語「磁性粒子」は、「磁性体」とも呼ばれ、磁性に敏感性を示す粒子、すなわち磁場の作用に敏感であり、かつ例えば磁力線と一直線になる傾向がある粒子を意味する。
【００２４】
第一組成物は、磁性粒子及び非磁性粒子の両方を含み得る。
【００２５】
組成物中の磁性粒子及び非磁性粒子の存在は、例えば磁場の影響下で変えられることができる新規な光学効果を創り出すことを可能する。
【００２６】
磁場の不存在においては、使用される磁性粒子は、好ましくは何らの残留磁性を示さない。
【００２７】
磁性粒子は、磁場が永久磁石により作り出されるか、又は誘導の結果であるかに関わらず、磁場の磁力線に感受性を示す磁性物質を含み得、該物質はニッケル、コバルト、鉄、及びそれらの合金及び酸化物、特にＦｅ３Ｏ４、及び例えばガドリニウム、テルビウム、ジスプロシウム、エルビウム、及びそれらの合金及び酸化物から選択される。磁性物質は、「軟」又は「硬」のタイプであり得、特に金属の鉄、特に場合によって被覆されていてもよい軟鉄を含み得る。
【００２８】
磁性粒子は、磁性物質、例えば鉄、ニッケル、コバルト及びそれらの合金及び酸化物、特に例えばＦｅ３Ｏ４の少なくとも１つの層を含む多層構造を場合によって示してもよい。
【００２９】
磁性粒子は、好ましくは非球状であり、例えば細長い形状を示す。すなわち、該粒子が磁場に付されたときに、その長尺軸を磁力線と並べて配向される傾向があり、そして配向が変化し、第一組成物の外観の変化をもたらす。
【００３０】
磁性粒子が実質的に球状であるとき、その外観は好ましくは非均一であり、その結果、配向の変化が外観の変化をもたらす。
【００３１】
磁性粒子の量は、組成物の外観をその配向及び／又はその位置に依存させることを可能にするのに十分である。
【００３２】
磁性粒子の濃度は、例えば約０．０５重量％〜約９７重量％の範囲、例えば好ましくは約０．１重量％〜約９５重量％の範囲、好ましくは０．１重量％〜９０重量％の範囲、例えば約３重量％であり得る。例えば、磁性粒子のサイズは、１ナノメートル（ｎｍ）〜７００マイクロメートル（μｍ）の範囲、例えば好ましくは１μｍ〜５００μｍ，より特に約１０μｍ〜約１５０μｍの範囲であり得る。用語「サイズ」は、「Ｄ５０」と呼ばれる、母集団の半分における統計的粒度分布により与えられるサイズを意味する。
【００３３】
磁性顔料
第一組成物の磁性粒子は磁性顔料を含み得る。特に適する顔料は酸化鉄Ｆｅ３Ｏ４を含む真珠層である。例えば、磁性を示す顔料は、メルク社によりカラロナブラックスターブルー，カラロナブラックスターグリーン，カラロナブラックスターゴールド，カラロナブラックスターレッド，クロワゾネヌアンティークスーパーグリーン，ミクロナマットブラック（１７４３７），マイカブラック（１７２６０），カラロナパティナシルバー（１７２８９），及びカラロナパティナゴールド（１１７２８８）の商標名で、又はエンゲルハード社により実際フラメンコトワイライトレッド，フラメンコトワイライトグリーン，フラメンコトワイライトゴールド，フラメンコトワイライトブルー，チミカヌアンティークシルバー１１０ＡＢ，チミカヌアンティークゴールド２１２ＧＢ，チミカヌアンティークカッパー３４０ＡＢ，チミカヌアンティークブロンズ２４０ＡＢ，クロワゾネヌアンティークグリーン８２８ＣＢ，クロワゾネヌアンティークブルー６２６ＣＢ，ジェムトーンムーンストーンＧ００４，クロワゾネヌアンティークレッド４２４クロマ−ライト，ブラック（４４９８），クロワゾネヌアンティークルージュフランベ（コード４４０ＸＢ），クロワゾネヌアンティークブロンズ（２４０ＸＢ），クロワゾネヌアンティークゴールド（２２２ＣＢ），及びクロワゾネヌアンティークカッパー（３４０ＸＢ）の商標名で販売されているものである。
【００３４】
黒色の酸化鉄粒子、例えばＢＡＳＦによりシコビットノワールＥ１７２の商標名で販売されているもの、又はエッカートによりスタパ(商標)ＷＭアイアンＶＰ０４１０４０の商標名で提示されている軟鉄に基づく粒子もまた挙げられ得る。
【００３５】
磁性粒子は、磁性繊維であってもよい。
【００３６】
用語「繊維」は、例えば３．５〜２５００又は５〜５００，例えば５〜１５０の範囲の形態因子を示すに細長い物体を一般的に意味する。形態因子は、比Ｌ／Ｄにより定義される。ここでＬは繊維の長さであり、Ｄは繊維の最も広い断面が内接されるところの円の直径である。
【００３７】
例えば、繊維の断面は、２ｎｍ〜５００μｍの範囲，例えば１００ｎｍ〜１００μｍの範囲，又は１μｍ〜５０μｍさえの直径を有する円に内接され得る。
【００３８】
例えば、繊維は、１μｍ〜１０ミリメートル（ｍｍ），例えば０．１ｍｍ〜５ｍｍ，又は０．３ｍｍ〜３．５ｍｍさえの範囲の長さを示し得る。
【００３９】
例えば、繊維は０．１５デニール〜３０デニール（９ｋｍの糸に対するグラムにおける重さ），例えば０．１８デニール〜１８デニールの範囲の重さを示し得る。
【００４０】
繊維の断面は、任意の形であり得、例えば円、又は多角形、特に四角形、六角形、又は八角形であり得る。
【００４１】
組成物は、独立していてもよい、又は相互に連結されていてもよい、例えば編まれていてもよい固体又は中空の繊維を含み得る。
【００４２】
組成物は、例えば研磨することにより先が尖っていない及び／又は丸められた末端を有する繊維を含み得る。
【００４３】
繊維が組成物に挿入されるとき、繊維の形状は、顕著には変えられる必要はない、ここで該繊維は最初、直線状であり、かつその形状を保つのに十分硬い。変形において、繊維は、それらが組成物内でかなり変形されることを可能にする柔軟性を示してもよい。
【００４４】
繊維は、ゼロではない量（１００％であってもよい）の軟磁性物質、硬磁性物質、特に鉄、亜鉛、ニッケル、コバルト、又はマンガン、及びそれらの合金及び酸化物に基づくもの、特にＦｅ３Ｏ４、希土類、硫酸バリウム、鉄−シリコン合金（場合よってモリブデンを含んでいてもよい）、Ｃｕ２ＭｎＡｌ，ＭｎＢｉ又はそれらの混合物（このリストは制限的ではない）から選択された磁性物質を含み得る。
【００４５】
組成物が磁性粒子を含む繊維を含むとき、該磁性粒子は、繊維の少なくとも表面に、又は繊維の表面のみに、又は繊維の内部のみに存在し得、又は例えば実質的に均一な様式で繊維中に分散さえされていてもよい。
【００４６】
例えば、各繊維は、その表面に複数の磁性粒子を有する非磁性的なコアを含み得る。
【００４７】
各繊維は、その中に分散された複数の磁性粒（magnetic grain）を含む合成マトリックスをもまた含み得る。
【００４８】
適切であれば、磁性粒子で満たされた合成物質自身が非磁性の膜により被覆されていてもよい。例えば、そのような膜は磁性物質を周りの環境から孤立させる障壁を構成する、及び／又はそれは色を与えることができる。各繊維は、上下続き（one-piece）の磁性コアを含み得、非磁性膜により被覆されていてもよく、又は上下続きの非磁性コアを含み、磁性膜により被覆されていてもよい。
【００４９】
組成物は１以上のポリマー状物質、特にサーモプラスチック及び／又はエラストマーを押し出すこと又は共押出することにより製造された繊維を含み得る。押し出された物質の一つは、分散された磁性粒子のフィラーを含み得る。
【００５０】
各繊維は、ポリアミド；ポリエチレンテレフタレート（ＰＥＴ）；アセテート；ポリオレフィン、特にポリエチレン（ＰＥ）又はポリプロピレン（ＰＰ）；ポリ塩化ビニル（ＰＶＣ）；ポリエステルブロックアミド；可塑化されたリルサン（商標）；エラストマー、特にポリエステルエラストマー、ポリエチレン（ＰＥ）エラストマー、シリコーンエラストマー、ニトリルエラストマー；又はこれらの物質の混合物、このリストは制限的ではない、から選択された合成物質を含み得る。
【００５１】
組成物は、複合繊維であって、各繊維が少なくとも部分的に少なくとも１の非磁性の、合成の、又は天然の物質により被覆された磁性コアを含む複合繊維を含み得る。例えば、磁性コアは、コアの周りに非磁性物質で作られた膜を共押出することにより被覆されていてもよい。
【００５２】
あるいはコアは、何か他の方法で、例えばインシチューでの重合化により被覆されていてもよい。
【００５３】
コアは、単一の部品（piece）であってもよく、又はマトリックス中に分散された磁性粒のフィラーを含んでいてもよい。
【００５４】
組成物は、非磁性の、合成の、又は天然のコアを磁性粒子でみたされた合成の物質で被覆することにより得られた複合繊維をもまた含み得、コアは木；レーヨン；ポリアミド；植物物質；又はポリオレフィン、特にポリエチレン、ナイロン（登録商標）、ポリイミド−アミド、又はアラミド、このリストは制限的ではない、から作られた繊維からなる。
【００５５】
組成物は、磁性複合粒子、特に磁性ラテックスをもまた含み得る。
【００５６】
磁性複合粒子
磁性複合粒子は、有機又は無機のマトリックスにより、及び磁性粒により構成された複合物質である。その表面及び／又はそれ自身の中において、磁性複合粒子はすなわち磁性物質の粒を含み得る。複合粒子は、有機又は無機のマトリックスにより被覆された磁性コアにより構成され得、又はそれらは磁性マトリックスにより被覆された有機又は無機のコアにより構成されていてもよい。
【００５７】
磁性複合粒子は、例えば上述の磁性物質の１つを含む。
【００５８】
磁性複合粒子のサイズは１ｎｍ〜１ｍｍの範囲，例えば好ましくは１００ｎｍ〜５００μｍの範囲，より好ましくは５００ｎｍ〜１００μｍの範囲であり得る。用語「サイズ」は、「Ｄ５０」と呼ばれる、母集団の半分における統計的粒度分布により与えられるサイズを意味する。
【００５９】
２００４年，３月２４日付けのＣ．GOUBAULTによる理論（参照することにより本明細書に取り込まれる）は、第１章において磁性複合粒子の課題に関する先行技術に言及し、磁性複合粒子を製造するために使用されるのに適する製造方法、すなわち、磁性粒及びマトリックスを別々に合成すること、マトリックスと接触している磁性粒を合成すること、又は磁性粒の存在下でマトリックスを合成することのリストを選び出している。
【００６０】
KISKERは、シリカからなる無機マトリックス磁性複合粒子を市販している。DYNAL，SERADYN，ESTAPOR，及びADEMTECHは、本発明において使用されるために適する有機マトリックス磁性複合粒子を提案している。
【００６１】
より特に、Ｍ１−０７０／６０の製品番号で、ESTAPORは、ポリスチレンマトリックス中に均等に分布されているフェライトの粒により構成されている磁性ラテックスを市販している。該ラテックスは６５％の酸化鉄を含みポリスチレン粒子の平均直径は８９０ｎｍであり、乾燥物質質量含有量は１０％である。
【００６２】
磁性流体
第一組成物は、磁性流体、すなわち磁性粒子、特に磁性ナノ粒子の安定なコロイド状懸濁物を含み得る。
【００６３】
数十ナノメートルのオーダーのサイズを有する粒子が、例えば溶媒（水、オイル、有機溶媒）に、界面活性剤又は分散剤により、又は静電相互作用により分散されている。
【００６４】
例えば、磁性流体は、フェライト又は他の磁性粒子をナノ粒子が得られるまで研磨し、次に該粒子が界面活性剤（該粒子により吸着され粒子を安定化する）を含む流体に分散されることにより製造されることができる。又はそれらは金属イオン溶液を塩基性媒体に沈殿させることにより製造されることができる。
【００６５】
磁性流体の各粒子は、粒子のサイズ及び磁性物質の性質により決められる磁気モーメントを示す。
【００６６】
磁場の作用下、粒子の磁気モーメントは、磁力線と並ぶようになる傾向があり、ゼロではない磁化が液体に現れる。もし場が取り除かれると、ヒステリシスは無く、磁化はゼロに落ちる。
【００６７】
場の閾値を超えると、液体に巨視的な変化を起こすこと、例えばピークの出現、又はレオロジー学的性質の変化を起こすことも可能である。
【００６８】
用語「磁性流体」は、溶媒中の磁性流体の滴のエマルジョンをもまた含む。すなわち各滴は安定な懸濁物におけるコロイド状の磁性粒子を含む。これは任意のタイプの溶媒における磁性流体を得ることを可能にする。磁性流体中の懸濁物中における磁性粒子のサイズは、１ｎｍ〜１０μｍの範囲，例えば好ましくは１ｎｍ〜１μｍの範囲，より好ましくは１ｎｍ〜１００ｎｍの範囲であり得る。用語「サイズ」は、「Ｄ５０」と呼ばれる、母集団の半分における統計的粒度分布により与えられるサイズを意味する。
【００６９】
以下の参照名でリキッドリサーチ社により販売されている磁性流体が特に挙げられることができる。
ＷＨＫＳ１Ｓ９（Ａ，Ｂ，又はＣ），１０ｎｍの直径の粒子を有する、磁鉄鉱（Ｆｅ３Ｏ４）を含む水をベースとする磁性流体である。
ＷＨＪＳ１（Ａ，Ｂ，又はＣ），直径が１０ｎｍである磁鉄鉱（Ｆｅ３Ｏ４）の粒子を含むイソパラフィンをベースとする磁性流体である。
ＢＫＳ２５デキストラン，デキストランにより安定化された、水をベースとする磁性流体であって、直径が９ｎｍである磁鉄鉱（Ｆｅ３Ｏ４）の粒子を含む磁性流体である。
【００７０】
粒子及び／又は磁性繊維の鎖
組成物は、粒子及び／又は磁性繊維の鎖をもまた含み得る。
【００７１】
すなわち、組成物は、最大寸法、例えば１ｎｍ〜１０ｍｍの範囲、例えば１０ｎｍ〜５ｍｍの範囲、又は１００ｎｍ〜１ｍｍの範囲、又は０．５μｍ〜３．５ｍｍの範囲さえ、例えば１μｍ〜１５０μｍの範囲であり得る例えば長さを有する粒子又は繊維の集団を含んでいてもよい。用語「サイズ」は、「Ｄ５０」と呼ばれる母集団の半分における統計的粒度分布により与えられるサイズを意味する。
【００７２】
例えば、磁性粒子の鎖は、刊行物、E．M．Furst，C．Suzuki，M．Fermigier，A．P．Gastによる「永久的に結合された単分散の常磁性の鎖」，Langmuir、第１４巻，７３３４〜７３３６ページ（１９９８年），M．Fermigier，Y．Grasselliによる「磁性粒子の懸濁物」，Bulletin of the SFP（第１０５巻）１９９６年、７月，及び，C．Goubault，P．Jop，M．Fermigier，J．Baudry，E．Bertrand，J．Bibetteによる「マイクロメカニカルなセンサーとしての柔軟な磁性フィラメント」，Phys．Rev．Lett．，第９１巻，第２６号，２６０８０２−１〜２６０８０２−４（２００３年）に記載されているように，コロイド状磁性粒子を組み立てることにより得られ得る。上記文献の内容は参照することにより本明細書に取り込まれる。
【００７３】
特に上記論文は、表面に官能基を有する酸化鉄の粒を含むポリスチレンマトリックスを含み、化学反応に従って永久的な様式で、特に隣接する粒子の表面間での共有結合で一緒に結合されている磁性ラテックス粒子の鎖を得るための進め方を記載している；物理的相互作用により一緒に結合されている磁性流体−エマルジョン滴の鎖を得る方法もまた記載されている。この方法で得られた永久鎖の長さ及び直径は、コントロールされることができる。そのような磁性鎖は、磁場の影響下、配向され、移動されることのできる異方性のある磁性物体を構成する。
【００７４】
磁性鎖の寸法は、磁性繊維に対するのと同じ条件を満足させ得る。
【００７５】
本発明の実施において、第一組成物は、観察の角度に応じて色の変化が観察されることができる少なくとも１のゴニオクロマチックな着色剤を含む。ゴニオクロマチックな着色剤は場合により磁性を帯びていてもよい。
【００７６】
第一組成物が、ある色の磁性粒子及び非磁性的なゴニオクロマチックな着色剤を含むとき、該着色剤はその色の範囲が磁性粒子の色を実質的に通過するように選択され得る。
【００７７】
例えば、これは、磁性粒子が磁場の影響下で配向されていない限り、磁性粒子を検出することをより困難にすることができる。
【００７８】
これは、磁性粒子を配向させることにより誘起された模様は、メイクアップされた表面がある観察条件及び／又は照明条件下にあるときにのみ現れることをもまた許すことができ、そうすることにより、特に魅力的である模様の配置及び外観効果を作ることを可能にすることができる。
【００７９】
ゴニオクロマチックな着色剤
本明細書の文脈において使用される用語「ゴニオクロマチックな着色剤」は、組成物が表面上で広げられたときに、４５°の入射角度における光について、観察の角度が法線に対して範囲０°〜８０°において変化されたとき、少なくとも２０°の色相角（tint angle）ｈの変化量Ｄｈに対応する、１９７６  ＣＩＥ色空間のａ＊ｂ＊平面におけるカラーバスを得ることを可能にする着色剤を意味する。
【００８０】
例えばカラーパスは、第一組成物が、エリクセン製であって型２４／５と称されるコントラストカード上に、自動スプレッダーにより３００μｍの厚さに流動状態で広げられた後、インスツルメントシステムズ製であって、ＧＯＮ３６０ゴニオメーターと称されるスペクトロゴニオリフレクトメーターにより測定され得る。測定はカードの黒色の背景上で行われる。
【００８１】
例えば、ゴニオクロマチック着色剤は多層干渉構造及び液晶着色剤から選択され得る。
【００８２】
多層構造は、例えば、少なくとも二つの層を含んでもよく、各層は例えば、以下の物質、ＭｇＦ２，ＣｅＦ３，ＺｎＳ，ＺｎＳｅ，Ｓｉ，ＳｉＯ２，Ｇｅ，Ｔｅ，Ｆｅ２Ｏ３，Ｐｔ，Ｖａ，Ａｌ２Ｏ３，ＭｇＯ，Ｙ２Ｏ３，Ｓ２Ｏ３，ＳｉＯ，ＨｆＯ２，ＺｒＯ２，ＣｅＯ２，Ｎｂ２Ｏ５，Ｔａ２Ｏ５，ＴｉＯ２，Ａｇ，Ａｌ，Ａｕ，Ｃｕ，Ｒｂ，Ｔｉ，Ｔａ，Ｗ，Ｚｎ，ＭｏＳ２，氷晶石、これらの合金、ポリマー、及び組み合わせにより構成された群から選択された少なくとも１の物質から製造される。
【００８３】
多層構造は、積み重ねられた層の化学的性質に関して、中央層について場合によって対称的であってもよい。種々の層の厚さ及び性質に依存して、種々の効果が得られる。
【００８４】
対称的多層干渉構造の例は以下の通りである：Ｆｅ２Ｏ３／ＳｉＯ２／Ｆｅ２Ｏ３／ＳｉＯ２／Ｆｅ２Ｏ３（この構造を有する顔料は商標名シコパールでＢＡＳＦにより販売されている）；ＭｏＳ２／ＳｉＯ２／酸化マイカ／ＳｉＯ２／ＭｏＳ２；Ｆｅ２Ｏ３／ＳｉＯ２／酸化マイカ／ＳｉＯ２／Ｆｅ２Ｏ３；ＴｉＯ２／ＳｉＯ２／ＴｉＯ２及びＴｉＯ２／Ａｌ２Ｏ３／ＴｉＯ２，（これらの構造を有する顔料は商標名キシロナでメルク（ダルムスタット）により販売されている）。
【００８５】
例えば、液晶着色剤はシリコーン、又はセルロースエーテルであって、その上にメソモルフィックな基がグラフトされているものを含む。適する液晶ゴニオクロマチック粒子の例は、シェニックスにより販売されているもの、及びワッカーによりヘリコーン（商標）の商標名で販売されているものである。
【００８６】
適するゴニオクロマチックな着色剤は、真珠層；合成の基体、特にアルミナ、シリカ、ボロシリケート、酸化鉄、又はアルミニウムタイプの基体上に効果を有する顔料；又はポリテレフタレートフィルムから来るホログラフィーの干渉フレークである。
【００８７】
例えば、磁性顔料の割合：ゴニオクロマティック着色剤の割合の質量比は、１／４〜４、例えば１／２〜２の範囲、例えば１の近くであり得る。
【００８８】
該物質は、分散されたゴニオクロマティックな繊維をさらに含み得る。そのような繊維は、例えば８０μｍ未満の長さを示し得る。
【００８９】
第一組成物は、もし必要であれば磁性を示し得る少なくとも１の回折性顔料をもまた含み得る。
【００９０】
回折性顔料
本発明の文脈において使用され得る用語「回折性顔料」は、白色光により照明されたときに、光を回折する構造の存在のために観察の角度に依存して色の変化を引き起こすことのできる顔料を意味する。
【００９１】
回折性顔料は、定義された方向の単色光の入射光を回折することのできる回折格子を含み得る。
【００９２】
回折格子は、周期的な模様、特に線であって２つの隣接する模様の間の距離が入射光の波長と同じである模様を含み得る。
【００９３】
入射光が多色であるとき、回折格子は光の種々のスペクトル成分を分離し、虹の効果を作る。
【００９４】
回折性顔料の構造に関しては、Alberto Argoitia及びMatt Witzmanによる論文「回折効果を示す顔料」、２００２年、Society of Vacuum coaters、第４５回技術会議年会紀要２００２を参照することが有益である。
【００９５】
種々の輪郭、特に場合によって対称であってもよい三角形の輪郭、場合によって等間隔の切り込みがあってもよい輪郭、又は正弦曲線の輪郭を有する模様を有する回折性顔料が製造されてもよい。
【００９６】
格子の空間的な頻度、及び模様の深さは、種々の所望されるオーダーの分離の度合いに応じて選択される。頻度は例えば１ｍｍ当たり５００の線〜１ｍｍ当たり３０００の線の範囲であり得る。
【００９７】
回折性顔料の各粒子は、好ましくは平らな形状、特にウエハーの形状を示す。
【００９８】
単独の顔料粒子は、場合によって直交していてもよい２つの交差された回折格子を含み得る。
【００９９】
回折性顔料は、少なくとも１の面の上で誘電体物質の層により被覆された反射物質の層を含む多層構造を示し得る。誘電物質は、回折性顔料をより固く、かつより長く続くようにし得る。例えば、誘電物質はすなわち以下の物質、ＭｇＦ２，ＳｉＯ２，Ａｌ２Ｏ３，ＡｌＦ３，ＣｅＦ３，ＬａＦ３，ＮｄＦ３，ＳｍＦ２，ＢａＦ２，ＣａＦ２，ＬｉＦ，及びそれらの組み合わせから選択され得る。例えば、反射物質は金属、その合金、及び非金属の反射物質から選択され得る。使用され得る金属は、Ａｌ，Ａｇ，Ｃｕ，Ａｕ，Ｐｔ，Ｓｎ，Ｔｉ，Ｐｄ，Ｎｉ，Ｃｏ，Ｒｄ，Ｎｂ，Ｃｒ、及びそれらの物質、組み合わせ又は合金を含む。そのような反射物質はそれ自身で、単層を含む回折性顔料を構成し得る。
【０１００】
変形において、回折性顔料は、少なくとも１の面を被覆する、又は実際には完全にコアをカプセル化する反射層を有する誘電物質のコアを含む多層構造を含み得る。誘電物質の層は、反射層をもまた覆い得る。使用される誘電物質は、すなわち好ましくは無機性であり、例えば金属弗化物、金属酸化物、金属スルフィド、金属窒化物、金属カーバイド、及びそれらの組み合わせから選択され得る。誘電物質は結晶、半結晶、又は非晶質状態にあってもよい。この構成において、誘電物質は、例えば以下の物質、ＭｇＦ２，ＳｉＯ，ＳｉＯ２，Ａｌ２Ｏ３，ＴｉＯ２，ＷＯ，ＡｌＮ，ＢＮ，Ｂ４Ｃ，ＷＣ，ＴｉＣ，ＴｉＮ，Ｎ４Ｓｉ３，ＺｎＳ，ガラス粒子、ダイアモンドタイプの炭素、及びそれらの組み合わせから選択されてもよい。
【０１０１】
変形において、回折性顔料は予備形成された誘電物質又はセラミック物質、例えば天然のラメラ鉱物、例えばマイカペロスコバイト（peroskovite）又はタルク；又はガラスから形成された合成の小板、アルミナ、ＳｉＯ２、炭素、酸化鉄／マイカ、ＢＮ，ＢＣ、グラファイト、又はオキシ塩化ビスマスで被覆されたマイカ、及びそれらの組み合わせから構成され得る。
【０１０２】
誘電物質の層の代わりに、機械的性質を改善する他の物質が適する。そのような物質は、シリコーン、金属シリサイド、ＩＩＩ，ＩＶ，及びＶ族の元素から形成された半導体物質、体立方晶系構造（body centered cubic crystal structure）を有する金属、金属−セラミック組成物又は物質、半導体ガラス、及びそれらの種々の組み合わせを含み得る。
【０１０３】
特に、使用される回折性顔料は、２００３年２月１３日に公開された米国特許出願公開第２００３／００３１８７０号に記載されているものから選択され得る。
【０１０４】
回折性顔料は、例えば以下の構造を有し得る。ＭｇＦ２／Ａｌ／ＭｇＦ２，この構造を有する回折性顔料はフレックスプロダクツによりスペクトラフレア１４００ピグメントシルバー又はスペクトラフレア１４００ピグメントシルバーＦＧの商標名で販売されている。ＭｇＦ２の重量による割合は、顔料の合計重量の８０重量％〜９５重量％の範囲であり得る。
【０１０５】
例えば、回折性顔料の量は、第一組成物の合計重量に対して０．１重量％〜５重量％の範囲であり得る。
【０１０６】
例えば、回折性顔料のサイズは、５μｍ〜２００μｍの範囲，好ましくは５μｍ〜１００μｍの範囲，例えば５μｍ〜３０μｍの範囲であり得る。
【０１０７】
回折性顔料粒子の厚さは、３μｍ以下，又は好ましくは２μｍ以下，例えば約１μｍ以下であり得る。
【０１０８】
反射性粒子
例えば、第一組成物は、反射性粒子、特に中でも場合により磁性があってもよいフレークを含み得る。
【０１０９】
本発明の文脈において使用される用語「反射性粒子」は、そのサイズ及び構造、特にそれらを構成する層の厚さ並びにそれらの物理的性質及び化学的性質、そしてそれらの表面状態が、それらに入射光を反射させることを可能にする粒子を意味する。適切であれば、組成物又は混合物がメイクアップされるべき表面に施与されたとき、該反射が、組成物又は混合物の表面に強調点を生じるのに充分な強度を有してもよく、その強調点は裸眼に見え、即ち、それらはそれらの環境と対比する一層大きい輝度の点であり、輝いて見える。
【０１１０】
反射性粒子はそれらと関連する着色剤により作り出された着色効果を有意に変えないような様式で、より特にカラーイールドに関するその効果を最適にするために選ばれてもよい。より特に反射性粒子は黄色、ピンク、赤色、青銅、オレンジ、褐色、及び／又は銅の光沢を有してもよい。
【０１１１】
反射性粒子は、第一組成物の合計重量に対して０．５重量％〜６０重量％の範囲、特に１重量％〜３０重量％，より特に３重量％〜１０重量％の範囲で第一組成物中に存在していてもよい。
【０１１２】
該粒子は種々の形態であってもよい。特に、該粒子はフレークの形態であってもよく、又はそれらは小球（globular）、特に球形（spherical）であってもよい。
【０１１３】
その形態に関わらず、反射性粒子は、多層構造を場合によって有していてもよい；多層構造と共に、例えば該粒子は特に反射物質の均一の厚さの少なくとも１の層を有していてもよい。
【０１１４】
反射性粒子が多層構造を有していないとき、それらは例えば、金属酸化物、特に合成により得られるチタン又は鉄の酸化物から構成されていてもよい。
【０１１５】
反射性粒子が多層構造を有するとき、該粒子は例えば天然の又は合成の基体、特に反射性物質、特に、少なくとも１の金属又は金属性の物質の少なくとも１の層で少なくとも部分的に被覆されている合成の基体を特に含んでいてもよい。基体は単独の物質又は多くの物質でありえ、それは有機性及び／又は無機性であってもよい。
【０１１６】
より特に、それはガラス、セラミック、グラファイト、金属酸化物、アルミナ、シリカ、シリケート、特にアルミノシリケート、及びボロシリケート、合成マイカ、及びそれらの混合物から選択され得る。このリストは制限的ではない。
【０１１７】
反射性物質は、金属又は金属性物質の層を含んでいてもよい。
【０１１８】
反射性粒子は、特に日本の特許文献、特開平０９−１８８８３０号、特開平１０−１５８４５０号、特開平１０−１５８５４１号、特開平０７−２５８４６０号及び特開平０５−０１７７１０号に記載されている。
【０１１９】
金属層で被覆された鉱物基体を含む反射性粒子の挙げられ得る更なる例は、銀で被覆されたボロシリケートの基体を含む粒子（また、「白色真珠層」と称される）である。
【０１２０】
フレークの形態における、銀で被覆されたガラス基体粒子は、TOYALによりミクロガラス・メタシャインＲＥＦＳＸ  ２０２５  ＰＳの商標名で販売されている。ニッケル／クロム／モリブデン合金で被覆されたガラス基体粒子が同社によりクリスタル・スターＧＦ５５０、ＧＦ２５２５の商標名で販売されている。
【０１２１】
任意の形態の反射性粒子は、少なくとも１の金属性物質、特に例えばチタンの酸化物、特にＴｉＯ２、鉄の酸化物、特にＦｅ２Ｏ３、スズの酸化物、又はクロムの酸化物から選択された金属酸化物、硫酸バリウム、及び以下の物質ＭｇＦ２，ＣｒＦ３，ＺｎＳ，ＺｎＳｅ，ＳｉＯ２，Ａｌ２Ｏ３，ＭｇＯ，Ｙ２Ｏ３，ＳｅＯ３，ＳｉＯ，ＨｆＯ２，ＺｒＯ２，ＣｅＯ２，Ｎｂ２Ｏ５，Ｔａ２Ｏ５，ＭｏＳ２，及びそれらの混合物又は合金の少なくとも１の層で少なくとも部分的に被覆された合成の基体の粒子から選択されてもよい。
【０１２２】
挙げられ得るそのような粒子の例は、二酸化チタンで被覆された合成マイカの基体を含む粒子、又は褐色酸化鉄、酸化チタン、酸化スズ、又はそれらの混合物の一つのいずれかで被覆されたガラス粒子、例えばエンゲルハードによりリフレックス（商標）の商標名で販売されているものである。
【０１２３】
本発明の第一組成物は、場合によって磁性があってもよい真珠層の少なくとも１を含んでいてもよい。
【０１２４】
真珠層
用語「真珠層」は任意の形態の着色された粒子であって、場合によって遊色効果があってもよく、ある軟体動物の殻の中で生産され、あるいは合成され、光学干渉により「真珠光沢のある」着色効果を示す粒子を意味する。
【０１２５】
真珠層は、真珠層顔料、例えば酸化鉄で被覆されたマイカチタン、オキシ塩化ビスマスで被覆されたマイカ、酸化クロムで被覆されたマイカチタン、有機着色剤で被覆されたマイカチタン、特に上述のタイプ、及びオキシ塩化ビスマスに基づく真珠層顔料から選択されてもよい。それらは、マイカの粒子であってその表面に金属酸化物及び／又は有機着色物質の少なくとも２の連続層が重ねられたマイカの粒子であってもよい。
【０１２６】
より特に、真珠層は、黄色、ピンク色、赤色、青銅色、オレンジ色、褐色、金色、及び／銅色の色又は光沢を有してもよい。
【０１２７】
第一組成物中に導入されるのに適し、かつ挙げられ得る真珠層の例は、金色の真珠層、特にブリリアントゴールド２１２Ｇ（チミカ）、ゴールド２２２Ｃ（クロワゾネ）、スパークルゴールド（チミカ）、ゴールド４５０４（クロマライト）、及びモナークゴールド２３３Ｘ（クロワゾネ）の商標名でエンゲルハードにより販売されているもの；青銅色の真珠層、特に、ブロンズ・ファイン（１７３８４）（カラロナ）及びブロンズ（１７３５３）（カラロナ）の商標名でメルクにより販売されているもの、またスーパーブロンズ（クロワゾネ）の商標名でエンゲルハードにより販売されているもの；オレンジ色の真珠層、特にオレンジ３６３Ｃ（クロワゾネ）及びオレンジＭＣＲ１０１（コスミカ）の商標名でエンゲルハードにより、またパッションオレンジ（カラロナ）及びマットオレンジ（１７４４９）（ミクロナ）の商標名でメルクにより販売されているもの；ヌ−アンティークカッパー３４０ＸＢ（クロワゾネ）及びブラウンＣＬ４５０９（クロマライト）の商標名でエンゲルハードにより販売されている褐色の色合いの真珠層；カッパー３４０Ａ（チミカ）の商標名でエンゲルハードにより販売されている銅光沢を有する真珠層；赤色の光沢を有する真珠層、特にシエナファイン（１７３８６）（カラロナ）の商標名でメルクにより販売されているもの；黄色の光沢を有する真珠層、特にイエロー（４５０２）（クロマライト）の商標名でエンゲルハードにより販売されているもの；金の光沢を有する赤色の色合いの真珠層、特にサンストーンＧ０１２（ジェムトーン）の商標名でエンゲルハードにより販売されているもの；ピンク色の真珠層、特にタンオパールＧ００５（ジェムトーン）の商標名でエンゲルハードにより販売されているもの；光沢を有する黒色真珠層、特にヌアンティークブロンズ２４０ＡＢ（チミカ）の商標名でエンゲルハードにより販売されているもの；青色真珠層、特にマットブルー（１７４３３）（ミクロナ）の商標名でメルクにより販売されているもの；銀色の光沢を有する白色真珠層、特にキシロナシルバーの商標名でメルクにより販売されているもの；及びインディアンサマー（キシロナ）の商標名でメルクにより販売されるオレンジ〜ピンク緑色〜金色の強調真珠層並びにこれらの混合物である。
【０１２８】
例えば、第一組成物は、場合により磁性を有していてもよいフィラーの少なくとも１つを含んでいてもよい。
【０１２９】
フィラー
用語「フィラー」は、組成物が製造される温度にかかわらず組成物媒体中に不溶性である任意の形態の粒子を意味する。フィラーは主として組成物のレオロジー又はテクスチャーを変更するように作用する。粒子の性質及び量は所望される機械的性質及びテクスチャーに依存し得る。
【０１３０】
挙げられ得るフィラーの例は、中でも、タルク、マイカ、シリカ、カオリン、セリサイト、及びポリアミド、ポリオレフィン、例えばポリエチレン、ポリテトラフルオロエチレン、ポリメチルメタクリレート、又はポリウレタンの粉末、粉末化された澱粉、並びにシリコーン樹脂ビーズを含む。
【０１３１】
中でも、フィラーは特に皮膚の不完全性を隠すように、特にファンデーションにぼやけた効果を作りだすことが意図されていてもよい。
【０１３２】
第一組成物は、着色剤、有機顔料、又はレーキをもまた含んでいてもよい。
【０１３３】
染料、有機顔料、及びレーキ
染料は、脂溶性又は水溶性であってもよい。
【０１３４】
脂溶性染料の例は、スーダンレッド、Ｄ＆ＣレッドＮｏ．１７、Ｄ＆ＣグリーンＮｏ．６、β−カロテン、大豆油、スーダンブラウン、Ｄ＆ＣイエロＮｏ．１１、Ｄ＆ＣバイオレットＮｏ．２、Ｄ＆ＣオレンジＮｏ．５、及びキノリンイエローである。
【０１３５】
水溶性染料の例は、ビートルーツジュース及びメチレンブルーである。
【０１３６】
例えば、染料は、存在するときは、第一又は第二組成物の０．１重量％〜２０重量％、又は０．１重量％〜６重量％でさえあってもよい。
【０１３７】
レーキ又は有機顔料は、以下の物質及びそれらの混合物から選択され得る：
コチニールカーマイン；
アゾ、アントラキノン、インジゴ、キサンテン、ピレン、キノリン、トリフェニルメタン、又はフルオラン染料の有機顔料；
有機レーキ、又は酸性染料、例えば、少なくとも１のカルボキシル基又はスルホン酸基を含んでいてもよいアゾ、アントラキノン、インジゴ、キサンテン、ピレン、キノリン、トリフェニルメタン、又はフルオリン染料のナトリウム、カリウム、カルシウム、バリウム、アルミニウム、ジルコニウム、ストロンチウム、チタンの不溶性塩。
【０１３８】
挙げられ得る有機顔料は以下の名前を有するものを含む：Ｄ＆ＣブルーＮｏ．４，Ｄ＆ＣブラウンＮｏ．１，Ｄ＆ＣグリーンＮｏ．５，Ｄ＆ＣグリーンＮｏ．６，Ｄ＆ＣオレンジＮｏ．４，Ｄ＆ＣオレンジＮｏ．５，Ｄ＆ＣオレンジＮｏ．１０，Ｄ＆ＣオレンジＮｏ．１１，Ｄ＆ＣレッドＮｏ．６，Ｄ＆ＣレッドＮｏ．７，Ｄ＆ＣレッドＮｏ．１７，Ｄ＆ＣレッドＮｏ．２１，Ｄ＆ＣレッドＮｏ．２２，Ｄ＆ＣレッドＮｏ．２７，Ｄ＆ＣレッドＮｏ．２８，Ｄ＆ＣレッドＮｏ．３０，Ｄ＆ＣレッドＮｏ．３１，Ｄ＆ＣレッドＮｏ．３３，Ｄ＆ＣレッドＮｏ．３４，Ｄ＆ＣレッドＮｏ．３６，Ｄ＆ＣバイオレットＮｏ．２，Ｄ＆ＣイエローＮｏ．７，Ｄ＆ＣイエローＮｏ．８，Ｄ＆ＣイエローＮｏ．１０，Ｄ＆ＣイエローＮｏ．１１，ＦＤ＆ＣブルーＮｏ．１，ＦＤ＆ＣグリーンＮｏ．３，ＦＤ＆ＣレッドＮｏ．４０，ＦＤ＆ＣイエローＮｏ．５，ＦＤ＆ＣイエローＮｏ．６。
【０１３９】
有機着色物質は、有機支持体、例えば松脂又は安息香酸アルミニウムにより支持された有機レーキを含んでいてもよい。
【０１４０】
挙げられ得る特定の有機レーキは以下の名前を有するものを含む：Ｄ＆ＣレッドＮｏ．２アルミニウムレーキ，Ｄ＆ＣレッドＮｏ．３アルミニウムレーキ，Ｄ＆ＣレッドＮｏ．４アルミニウムレーキ，Ｄ＆ＣレッドＮｏ．６アルミニウムレーキ，Ｄ＆ＣレッドＮｏ．６バリウムレーキ，Ｄ＆ＣレッドＮｏ．６バリウム／ストロンチウムレーキ，Ｄ＆ＣレッドＮｏ．６ストロンチウムレーキ，Ｄ＆ＣレッドＮｏ．６カリウムレーキ，Ｄ＆ＣレッドＮｏ．７アルミニウムレーキ，Ｄ＆ＣレッドＮｏ．７バリウムレーキ，Ｄ＆ＣレッドＮｏ．７カルシウムレーキ，Ｄ＆ＣレッドＮｏ．７カルシウム／ストロンチウムレーキ，Ｄ＆ＣレッドＮｏ．７ジルコニウムレーキ，Ｄ＆ＣレッドＮｏ．８ナトリウムレーキ，Ｄ＆ＣレッドＮｏ．９アルミニウムレーキ，Ｄ＆ＣレッドＮｏ．９バリウムレーキ，Ｄ＆ＣレッドＮｏ．９バリウム／ストロンチウムレーキ，Ｄ＆ＣレッドＮｏ．９ジルコニウムレーキ，Ｄ＆ＣレッドＮｏ．１０ナトリウムレーキ，Ｄ＆ＣレッドＮｏ．１９アルミニウムレーキ，Ｄ＆ＣレッドＮｏ．１９バリウムレーキ，Ｄ＆ＣレッドＮｏ．１９ジルコニウムレーキ，Ｄ＆ＣレッドＮｏ．２１アルミニウムレーキ，Ｄ＆ＣレッドＮｏ．２１ジルコニウムレーキ，Ｄ＆ＣレッドＮｏ．２２アルミニウムレーキ，Ｄ＆ＣレッドＮｏ．２７アルミニウムレーキ，Ｄ＆ＣレッドＮｏ．２７アルミニウム／チタン／ジルコニウムレーキ，Ｄ＆ＣレッドＮｏ．２７バリウムレーキ，Ｄ＆ＣレッドＮｏ．２７カルシウムレーキ，Ｄ＆ＣレッドＮｏ．２７ジルコニウムレーキ，Ｄ＆ＣレッドＮｏ．２８アルミニウムレーキ，Ｄ＆ＣレッドＮｏ．３０レーキ，Ｄ＆ＣレッドＮｏ．３１カルシウムレーキ，Ｄ＆ＣレッドＮｏ．３３アルミニウムレーキ，Ｄ＆ＣレッドＮｏ．３４カルシウムレーキ，Ｄ＆ＣレッドＮｏ．３６レーキ，Ｄ＆ＣレッドＮｏ．４０アルミニウムレーキ，Ｄ＆ＣブルーＮｏ．１アルミニウムレーキ，Ｄ＆ＣグリーンＮｏ．３アルミニウムレーキ，Ｄ＆ＣオレンジＮｏ．４アルミニウムレーキ，Ｄ＆ＣオレンジＮｏ．５アルミニウムレーキ，Ｄ＆ＣオレンジＮｏ．５ジルコニウムレーキ，Ｄ＆ＣオレンジＮｏ．１０アルミニウムレーキ，Ｄ＆ＣオレンジＮｏ．１７バリウムレーキ，Ｄ＆ＣイエローＮｏ．５アルミニウムレーキ，Ｄ＆ＣイエローＮｏ．５ジルコニウムレーキ，Ｄ＆ＣイエローＮｏ．６アルミニウムレーキ，Ｄ＆ＣイエローＮｏ．７ジルコニウムレーキ，Ｄ＆ＣイエローＮｏ．１０アルミニウムレーキ，ＦＤ＆ＣブルーＮｏ．１アルミニウムレーキ，ＦＤ＆ＣレッドＮｏ．４アルミニウムレーキ，ＦＤ＆ＣレッドＮｏ．４０アルミニウムレーキ，ＦＤ＆ＣイエローＮｏ．５アルミニウムレーキ，ＦＤ＆ＣイエローＮｏ．６アルミニウムレーキ。
【０１４１】
上にリストされた有機着色物質のそれぞれに対応する化学物質は、「化粧料、トイレトリー、及び香料協会(The Cosmetic, Toiletry, and Fragrance Association)」により発行された「国際化粧料成分の辞書及びハンドブック(International Cosmetic Ingredient Dictionary and Handbook)」（１９９７年版）という題名の書籍の３７１〜３８６ページ及び５２４〜５２８ページに挙げられている。その内容は参照することにより本明細書に取り込まれる。
【０１４２】
第一組成物は、複合顔料を含んでいてもよい。
【０１４３】
複合顔料
複合顔料は、
場合によって磁性を帯びていてもよい無機のコア；及び
少なくとも１つの有機着色物質の少なくとも１つの少なくとも部分的な被覆
を含む粒子から構成されていてもよい。
【０１４４】
少なくとも１のバインダーは、無機コアの上に有機着色物質を固定することに有利に貢献し得る。
【０１４５】
複合顔料の粒子は、種々の形態を有し得る。特に、該粒子は、フレークの形態であってもよいか、又は小球、特に球形であってもよく、そして中空又は中実であってもよい。用語「フレークの形態の」は、厚さに対する最大寸法の比が５以上である粒子を意味する。
【０１４６】
複合顔料は、例えばグラム当たり１平方メートル（ｍ２／ｇ）〜１０００ｍ２／ｇの範囲、特に約１０ｍ２／ｇ〜約６００ｍ２／ｇ，特に約２０ｍ２／ｇ〜約４００ｍ２／ｇの範囲の比表面積を有し得る。比表面積は、ＢＥＴ（ブルナウア−エメット−テラー）法を使用して測定された値である。
【０１４７】
複合顔料の無機コアは、有機着色物質の粒子を固定するのに適する任意の形態、例えば球状、小球、粒状、多面体、針状、紡錘形、フレークの形態につぶされた形、米粒状、又は鱗状、及びこれらの形態の組み合わせを有し得る。このリストは制限的ではない。
【０１４８】
コアの最大寸法：最も小さい寸法の比は１〜５０の範囲であってもよい。
【０１４９】
無機のコアは、約１ｎｍ〜約１００ｎｍの範囲，又は約５ｎｍ〜約７５ｎｍの範囲，例えば約１０ｎｍ〜約５０ｎｍの範囲さえのサイズを有していてもよい。
【０１５０】
無機のコアは、金属の塩及び金属酸化物、特にチタン、ジルコニウム、セリウム、亜鉛、鉄、アイアンブルー、アルミニウム、及びクロムの酸化物、アルミナ、ガラス、セラミック、グラファイト、シリカ、シリケート、特にアルミノシリケート及びボロシリケート、合成マイカ及びそれらの混合物を含む非制限的なリストから選択された物質から形成され得る。
【０１５１】
チタンの酸化物、特にＴｉＯ２、鉄の酸化物、特にＦｅ２Ｏ３，セリウム、亜鉛、及びアルミニウムの酸化物、シリケート、特にアルミノシリケート及びボロシリケートが特に適切である。
【０１５２】
無機のコアは、ＢＥＴ法を使用して測定されて、約１ｍ２／ｇ〜約１０００ｍ２／ｇの範囲，好ましくは約１０ｍ２／ｇ〜約６００ｍ２／ｇの範囲，例えば約２０ｍ２／ｇ〜約４００ｍ２／ｇの範囲の比表面積を有していてもよい。
【０１５３】
無機のコアは、もし適切であれば着色されていてもよい。
【０１５４】
有機の着色物質は上で定義されたとおりである。
【０１５５】
複合顔料バインダーは、有機着色物質が無機のコアの表面に吸着することを許すならば任意のタイプであってもよい。
【０１５６】
特に、バインダーは以下の非制限的なリスト：シリコーン物質、ポリマー状物質、オリゴマー状物質、又は類似の物質、特にオルガノシラン、フルオロアルキル化オルガノシラン、及びポリシロキサン、例えばポリメチルハイドロジェンシロキサン、並びに種々のカップリング剤、例えばシラン、チタネート、アルミネート、ジルコネート及びそれらの混合物に基づくカップリング剤から選択され得る。
【０１５７】
着色剤は、フォトクローム着色物質又はフォトクローム剤を含み得る。
【０１５８】
フォトクローム剤
一般的に、フォトクローム着色剤は、紫外線により照明されたとき色を変える性質及び、該線によりもはや照明されないときには最初の色に戻る性質、又は着色されていない状態から着色された状態に行く性質、及び逆、を有する着色剤である。言い換えると、そのような剤は人工の光により、又はある量のＵＶ照射を含む光、例えば太陽光により照明されているかどうかに依存して、種々の色を示す。
【０１５９】
欧州特許出願公開第１４１０７８６号に記載されているフォトクローム剤の例が有益に参照され得る。
【０１６０】
サーモクローム剤
例えば、サーモクローム剤、クロマケム社により販売されている参照名クロマファーストイエロー５ＧＸ０２を使用することが可能である。
【０１６１】
他の着色剤
第一組成物は、ピエゾクローム（piezochrome）化合物、特にトライボクローム（tribochrome）、又はソルバトクローム（solvatochrome）をもまた含んでいてもよい。
【０１６２】
他の成分
典型的には、化粧料組成物は生理学的に許容される媒体を含む。用語「生理学的に許容される媒体」は、ヒトの皮膚、爪、毛髪、又は口唇に施与されることのできる非毒性の媒体を意味する。生理学的に許容される媒体は、組成物が施与される表面の性質及び組成物が包装される形態に一般的に適合されている。
【０１６３】
第一組成物は、上に記載されたもの以外の成分、特に少なくとも１の溶媒、１の油状相、１のフィルム形成性ポリマー、及び／又は１の皮膚科学的に又は化粧料的に活性な成分を、特にその投与又は「製剤の（galenical）」形態に応じて含む。
【０１６４】
溶媒
第一組成物は、少なくとも１の水性又は有機溶媒を含んでいてもよい。
【０１６５】
第一組成物は、有利に揮発性溶媒、特に揮発性有機溶媒を含んでいてもよい。
【０１６６】
本発明の文脈において使用される用語「揮発性溶媒」は、環境温度において液状であって、環境温度及び大気圧において、ゼロではない蒸気圧、特に０．１３パスカル（Ｐａ）〜４０，０００Ｐａ（１０−３ミリメートルの水銀（ｍｍＨｇ）〜３００ｍｍＨｇ）の範囲、好ましくは１．３Ｐａ〜１３０００Ｐａ（０．０１ｍｍＨｇ〜１００ｍｍＨｇ）の範囲、好ましくは１．３Ｐａ〜１３００Ｐａ（０．０１ｍｍＨｇ〜１０ｍｍＨｇ）の範囲の蒸気圧を有する溶媒を意味する。
【０１６７】
第一組成物が１以上の有機溶媒を含むとき、溶媒は考慮下の組成物の合計重量に対して０．１％〜９９％の範囲の量で存在し得る。
【０１６８】
一般的に、溶媒、特に有機溶媒の量は、組成物が施与されることが意図される表面の性質に依存する。
【０１６９】
第一組成物は、揮発性オイルにより構成された少なくとも１の揮発性溶媒を含み得る。
【０１７０】
オイルは、シリコーン化されたオイル、又は炭化水素化されたオイルであってもよく、又はそのようなオイルの混合物を含んでいてもよい。
【０１７１】
本発明の文脈において使用される用語「シリコーン化されたオイル」は、少なくとも１のケイ素原子、特に少なくとも１のＳｉ−Ｏ基を含むオイルを意味する。
【０１７２】
用語「炭化水素化されたオイル」は、主に水素原子及び炭素原子を含み、場合によって酸素、窒素、硫黄、及び／又はリン原子を含んでいてもよいオイルを意味する。
【０１７３】
揮発性の炭化水素化されたオイルは、８〜１６の炭素原子を有する炭化水素化されたオイル、特にＣ８〜Ｃ１６分岐状のアルカン、（イソパラフィンとも呼ばれる）、例えばイソドデカン（２，２，４，４，６−ペンタメチルヘプタンとも呼ばれる）、イソデカン、イソヘキサデカン、例えば商標名Isopars（商標）又はPermethyls（商標）で販売されているオイルから選択されてもよい。
【０１７４】
使用され得る揮発性オイルは、揮発性シリコーン、例えば揮発性の直鎖又は環状のシリコーンオイルであって、例えば特に、≦８センチストーク（ｃＳｔ）（８×１０―６平方メートル毎秒（ｍ２／ｓ））の粘度を有し、かつ特に２〜１０の珪素原子、特に２〜７のケイ素原子を有し、該シリコーンは１〜１０の炭素原子を有するアルキル又はアルコキシ基を場合によって含んでいてもよいオイルである。本発明において、挙げられ得る適切な揮発性シリコーンオイルは、特に５〜６ｃＳｔの粘度を有するジメチコーン、オクタメチルシクロテトラシロキサン、デカメチルシクロペンタシロキサン、ドデカメチルシクロヘキサシロキサン、ヘプタメチルヘキシルトリシロキサン、ヘプタメチルオクチルトリシロキサン、ヘキサメチルジシロキサン、オクタメチルトリシロキサン、デカメチルテトラシロキサン、ドデカメチルペンタシロキサン及びそれらの混合物である。
【０１７５】
フッ素化された揮発性オイル、例えばノナフルオロメトキシブタン、又はパーフルオロメチルシクロペンタン、及びそれらの混合物を使用することもまた可能である。  
【０１７６】
組成物は、組成物の合計重量に対して０．０１重量％〜９５重量％、好ましくは１重量％〜７５重量％の揮発性オイルを含み得る。
【０１７７】
第一組成物は、以下のリストから選択される少なくとも１の有機溶媒を含み得る：
環境温度において液状であるケトン、例えばメチルエチルケトン，メチルイソブチルケトン，ジイソブチルケトン，イソホロン，シクロヘキサノン，又はアセトン；
環境温度において液状であるアルコール、例えばエタノール、イソプロパノール、ジアセトンアルコール、２−ブトキシエタノール、又はシクロヘキサノール；
環境温度において液状であるグリコール、例えばエチレングリコール，プロピレングリコール，ペンチレングリコール，又はグリセロール；
環境温度において液状であるプロピレングリコールエーテル、例えばプロピレングリコールモノメチルエーテル，プロピレングリコールモノメチルエーテルのアセテート，又はジプロピレングリコールモノｎ−ブチルエーテル；
短鎖エステル（３〜８の炭素原子の合計を含む）、例えば酢酸エチル、酢酸メチル、酢酸プロピル、酢酸ｎ−ブチル、又は酢酸イソペンチル；及び
環境温度において液状であるアルカン、例えばデカン、ヘプタン、ドデカン、又はシクロヘキサン。
【０１７８】
第一組成物は、水、又は水及び化粧料において日常的に使用される親水性有機溶媒、例えばアルコール、特に直鎖又は分岐状の２〜５の炭素原子を含む低級モノアルコール、例えばエタノール、イソプロパノール、又はｎ−プロパノール、ポリオール、例えばグリセリン、ジグリセリン、プロピレングリコール，ソルビトール，ペンチレングリコール，又はポリエチレングリコールの混合物をもまた含んでいてもよい。第一組成物は、親水性Ｃ２エーテル及びＣ２〜Ｃ４アルデヒドをもまた含んでいてもよい。水、または水及び親水性の有機溶媒の混合物は、組成物の合計重量に対して０重量％〜９０重量％，特に０．１重量％〜９０重量％，好ましくは０重量％〜６０重量％，より特に０．１重量％〜６０重量％の範囲の量で第一及び／又は第二組成物に存在していてもよい。
【０１７９】
油状相
第一組成物が口唇に施与されるとき、第一組成物は、例えば油状相、及び特に環境温度（２５℃）において液状である少なくとも１の脂肪及び／又は環境温度において固体である脂肪、例えばワックス、ペースト状脂肪、ガム、及びそれらの混合物を含んでいてもよい。油状相は脂溶性有機溶媒をもまた含んでいてもよい。
【０１８０】
例えば、第一組成物は、その合計重量に対して５％未満の水、特に１％未満の水を含んでいてもよい連続油状層を有していてもよく、特にそれは無水の形態であってもよい。
【０１８１】
挙げられ得る、環境温度において液状である脂肪（通常「オイル」と呼ばれる）は、以下の通りである：炭化水素含有植物オイル、例えば４〜１０の炭素原子を含む脂肪酸のトリグリセリド、例えばヘプタン酸、又はオクタン酸トリグリセリド、又はヒマワリ、トウモロコシ、大豆、グレープシード、胡麻種、アプリコットカーネル、マカダミアナッツ、ひまし、又はアボカドストーンオイル、カプリル／カプリン酸トリグリセリド、ホホバオイル、シアナッツバターオイル、ラノリン、アセチル化ラノリン；鉱物又は合成起源の直鎖又は分岐状の炭化水素、例えばパラフィンオイル、及びその誘導体、ワセリン、ポリデセン、水素化ポリイソブテン、例えばパールリーム；合成されたエステル及びエーテル、特に脂肪酸、例えばプルセリンオイル、ミリスチン酸イソプロピル、パルミチン酸２−エチルヘキシル、ステアリン酸２−オクチルドデシル、エルカ酸２−オクチルドデシル、イソステアリン酸イソステアリル；ヒドロキシル化エステル、例えば乳酸イソステアリル、オクチルヒドロキシステアレート、ヒドロキシステアリン酸オクチルドデシル、ジイソステアリルマレート；クエン酸トリイソセチル、脂肪族アルコールのヘプタン酸エステル、オクタン酸エステル、又はデカン酸エステル；イソノナン酸イソノニル、ラノリン酸イソプロピル、トリメリット酸トリデシル、リンゴ酸ジイソステアリル；ポリオールエステル、例えばジオクタン酸プロピレングリコール、ジヘプタン酸ネオペンチルグリコール、ジイソノナン酸ジエチレングリコール；及びペンタエリスリトールエステル；１２〜２６の炭素原子を含む脂肪族アルコール、例えば，オクチルドデカノール，２−ブチルオクタノール，２−ヘキシルデカノール，２−ウンデシルペンタデカノール，又はオレインアルコール；部分的に水素化された及び／又はシリコーン化されたフッ化オイル；シリコーンオイル、例えば環境温度において液状又はペースト状であり得る、揮発性又は非揮発性の，直鎖又は環状のポリメチルシロキサン（ＰＤＭＳ）、例えばシクロメチコーン、又はジメチコーン、場合によりフェニル基を有していてもよい、例えばフェニルトリメチコーン，フェニルトリメチルシロキシジフェニルシロキサン，ジフェニルメチルジメチルトリシロキサン，ジフェニルジメチコーン，フェニルジメチコーン，ポリメチルフェニルシロキサン；及びそれらの混合物。オイルは、組成物の合計重量に対して０．０１重量％〜９０重量％，好ましくは０．１重量％〜８５重量％の範囲で存在していてもよい。
【０１８２】
油状相の存在は、光沢効果を与え得、例えば１．４７〜１．５１の範囲，好ましくは１．４８〜１．５０の範囲の屈折率を示し得る。屈折率は、環境温度（２５℃）において屈折計により測定される。
【０１８３】
第一組成物はペースト状脂肪、ワックス、又はガムをもまた含み得る。
【０１８４】
ペースト状脂肪は一般的に、２５℃〜６０．Ｃの範囲，好ましくは３０℃〜４５℃の範囲の融点、及び／又は０．００１メガパスカル（ＭＰａ）〜０．５Ｍｐａの範囲，好ましくは０．００５ＭＰａ〜０．４Ｍｐａの範囲の硬度を有する炭化水素含有化合物、例えばラノリン及びその誘導体である。
【０１８５】
ワックスは環境温度（２５℃）において固体であり、可逆的な固体／液体の状態の変化を有し、３０℃より高く２００℃までの融点、０．５ＭＰａより大きい硬度を有し、固体状態において異方性のある結晶組織を有する。特に、ワックスは２５℃より高く、好ましくは４５℃より高い融点を有し得る。該ワックスは、炭化水素を含み、フッ素化及び／又はシリコーン化されていてもよく、動物、鉱物、植物、及び／又は合成起源であってもよい。挙げられ得る適切なワックスは、ビーズワックス、カルナウバワックス又はキャンデリラワックス、パラフィン、マイクロクリスタリンワックス、セレシン、オゾケライト；合成ワックス、例えばポリエチレン又は、フィッシャー−トロプシュワックス、又はシリコーンワックス、例えば１６〜４５の炭素原子を含むアルキル又はアルコキシ−ジメチコーンであってもよい。組成物は組成物の合計重量に対して０〜５０重量％、又は１重量％〜３０重量％さえのワックスを含んでいてもよい。
【０１８６】
適するガムは、一般的に高分子量のポリジメチルシロキサン（ＰＤＭＳ）又はセルロースガム又はポリサッカライドである。
【０１８７】
フィルム形成性ポリマー
例えば、第一組成物は、特にマスカラ又はネイルポリッシュについてはフィルム形成性ポリマーをまた含み得る。用語「フィルム形成性ポリマー」は、それ自身で又は追加のフィルム形成剤の存在下、表面、特にケラチン性物質に接着する連続フィルムを形成することのできるポリマーを意味する。
【０１８８】
本発明に従う第一組成物における使用に適する、挙げられ得るフィルム形成性ポリマーは、合成ポリマー、ラジカルタイプ又は重縮合タイプのもの、天然のポリマー、例えばニトロセルロース又はセルロースエステル、及びそれらの混合物を含む。
【０１８９】
ラジカルタイプのフィルム形成性ポリマーは、特にビニルポリマー又はコポリマー、特にアクリルポリマーであり得る。
【０１９０】
ビニルのフィルム形成性ポリマーは、少なくとも１の酸基を含むエチレン性不飽和結合を有するモノマー及び／又は該酸のモノマーのエステル、及び／又は該酸のモノマーのアミド、例えばα，β−エチレン性不飽和カルボン酸、例えばアクリル酸、メタクリル酸、クロトン酸、マレイン酸、又はイタコン酸を重合化させることから得られ得る。
【０１９１】
ビニルのフィルム形成性ポリマーは、ビニルエステル、例えば酢酸ビニル、ネオデカン酸ビニル、ピバリン酸ビニル、安息香酸ビニル、ｔ−ブチル安息香酸ビニル、及びスチレンモノマー、例えばスチレン及びα−メチルスチレンから選択されたモノマーをホモ重合化又は共重合化させることからもまた得られ得る。
【０１９２】
挙げられ得るフィルム形成性重縮合体の例は、ポリウレタン、ポリエステル、ポリエステルアミド、ポリアミド、及びポリウレアを含み、このリストは制限的ではない。
【０１９３】
場合によって変性されていてもよい天然起源のポリマーは、シェラック樹脂、サンダラックガム、ダマール樹脂、ガムエレミ、コパール樹脂、セルロースポリマー、例えばニトロセルロース、エチルセルロース、又はニトロセルロースエステル、例えば酢酸セルロース、アセト酪酸セルロース及びアセトプロピオン酸セルロースから選択されたもの、及びそれらの混合物から選択され得る。
【０１９４】
フィルム形成性ポリマーは、一般的にラテックス、擬似ラテックスとして公知である、水性又は油状分散物における固体粒子の形態で存在し得る。フィルム形成性ポリマーは、生理学的に許容される液状油状相中に、１以上のポリマーの一般的には球状のポリマー粒子の１以上の安定な分散物を含み得る。該分散物は、水性ポリマー分散物であるラテックスと対照的に、一般的にポリマーＮＡＤ（非水性分散物）と呼ばれる。該分散物は、該油状相中の安定な分散物におけるポリマーのナノ粒子の形態であり得る。ナノ粒子のサイズは好ましくは５ｎｍ〜６００ｎｍの範囲である。該分散物を製造するテクニックは当業者に周知である。
【０１９５】
使用され得る水性フィルム形成性ポリマーの分散物はアベシア−ネオレシンズによりネオクリルＸＫ−９０（商標），ネオクリルＡ−１０７０（商標），ネオクリルＡ−１０９０（商標），ネオクリルＢＴ−６２（商標）、ネオクリルＡ−１０７９（商標），ネオクリルＡ−５２３（商標）の商標名で販売されているアクリル分散物、及びダウケミカル社によるダウラテックス４３２（商標）；大東化成工業社によるダイトゾール５０００ＡＤ（商標）；又はアベシア−ネオレシンズ社によりネオレッツＲ−９８１（商標）及びネオレッツＲ−９７４（商標）の商標名で販売されている水性ポリウレタン分散物；グッドリッチ社によるアバルア（AVALURE）ＵＲ−４０５（商標），アバルアＵＲ−４１０（商標），アバルアＵＲ−４２５（商標），アバルアＵＲ−４５０（商標），サンキュア８７５（商標），サンキュア８６１（商標），サンキュア８７８（商標），及びサンキュア２０６０（商標）；バイエルによるインプラニル８５（商標）；ハイドロマーによるアクアメールＨ−１５１１（商標）；及びイーストマンケミカルプロダクツによるイーストマンＡＱの商標名で販売されているスルホポリエステルを含む。
【０１９６】
本発明の第一組成物は、フィルム形成性ポリマーと共にフィルムの形成を促進するフィルム形成助剤をもまた含み得る。
【０１９７】
活性成分
第一組成物は、少なくとも１の化粧的に又は皮膚科学的に活性な成分をもまた含み得る。挙げられ得る、本発明の組成物の使用のために適切な化粧料的に、皮膚科学的に、衛生学的に、又は薬学的に活性な成分は、保湿化剤（ポリオール例えばグリセリン）、ビタミン（Ｃ，Ａ，Ｅ，Ｆ，Ｂ，又はＰＰ）、必須脂肪酸、精油、セラミド、スフィンゴリピッド、脂溶性又はナノ粒子サンスクリーン、及び特定の皮膚トリートメント活性成分（保護剤、抗菌剤、抗しわ剤等）、自己日焼け剤である。該活性成分は、組成物の合計重量に対して０〜２０％の範囲，例えば特に０．００１重量％〜１５％の範囲の濃度で使用され得る。
【０１９８】
第一組成物は、化粧料において日常的に使用される成分、例えば増粘剤、界面活性剤、微量元素、保湿剤、軟化剤、封鎖剤、香料、アルカリ化剤又は酸性化剤、保存剤、抗酸化剤、ＵＶフィルター、染料、又はそれらの混合物をもまた含み得る。
【０１９９】
想定される使用に依存して、本発明の組成物は、考慮下の分野において慣用的に使用される成分を含み得、該成分は所望される投与形態に適する量で存在する。
【０２００】
投与形態
第一組成物は、その目的に依存して種々の形態であり得る。従って、第一組成物は局所施与に通常使用される任意の投与形態、特に無水の形態、油状又は水性溶液の形態、油状又は水性ゲル、水中油型又は油中水型エマルジョン、水中ワックス型、又はワックス中水型エマルジョン、マルチエマルジョン又は油／水の界面に位置するベシクルによる水の中のオイルの分散物の形態であり得る。
【０２０１】
第一組成物は、粉末又はゲルの形態であり得る。
【０２０２】
磁性デバイス
磁性デバイスは、永久磁石、又は、例えば、随意的に再充電可能な少なくとも１の電池により作動される電磁石を含み得る。電池については、磁性デバイスは、電磁石が電気で選択的に作動されることを可能にするスイッチを含み得る。
【０２０３】
磁性デバイスは、経時的に変化する配向のある磁場を創り出すようにアレンジされ得る。磁性デバイスが磁石を含むとき、デバイスは該磁石が回転されることを可能にするモーターを例えば含み得る。変形においては、磁性デバイスは電気で逐次的に作動されるとき、回転磁場を作り出すように配置された複数のソレノイドを含み得る。
【０２０４】
例えば、回転磁場は円形の対称性を示す模様、例えばレリーフにおける球の印象を与える模様を得ることを可能にし得る。
【０２０５】
電磁石はユーザーにより所望されるように、連続的に又は断続的に作動され得る。特に、第一組成物により被覆された表面の近くに磁性デバイスが正しく位置付けられていない間は、電磁石が作動される必要がないように磁性デバイスがアレンジされていてもよい。
【０２０６】
磁場は少なくとも５０ミリテスラ（ｍＴ）、例えば好ましくは少なくとも６６ｍＴである。
【０２０７】
磁場をかけることを容易にするために、磁性デバイスは、第一組成物が堆積された表面に相対的に磁性デバイスが位置付けられることを可能にする部材を含んでいてもよい。これは、磁性デバイスが誤って、組成物と接触することを防ぐことを可能にする及び／又は考慮下の領域に形成された模様を中央にくるようにすることを可能にする。
【０２０８】
本発明の実施において、磁性デバイスは、第一化粧料組成物を施与するために使用されるアプリケーターに保持されている。これは、ユーザーにより操作される必要のある対象の数を減らすことを可能にし、メイクアップを施与することを容易にする。
【０２０９】
本発明の別の実施において、磁性デバイスは、第一化粧料組成物を施与するために使用されるアプリケーターのハンドルに接続された第二の端を有するロッドの第一の端に取付けられた磁石を含む。
【０２１０】
磁場は、磁性構造、特に柔軟な構造、例えば交互のＮ及びＳ極によってもまたかけられ得る。例えば、そのような構造は第一組成物上に繰り返される模様、例えば縞を形成することを可能にし得る。
【０２１１】
本方法を実施するためのキット
別の実施態様に従うと、本発明は上で定義された方法を実施するためのキットをもまた提供する。該キットは
磁場が作られることを可能にする磁性デバイス；及び
磁場の影響下で可動性である磁性粒子を含む化粧料組成物
を含む。
【０２１２】
磁性デバイスは、組成物の堆積物中の被覆されたケラチン物質が磁場に挿入されたときに、堆積物内において磁性体の配向及び／又は位置を変更することのできる磁場を作りだすことができてもよい。
【０２１３】
第一組成物が表面、例えば皮膚、口唇、爪、又は毛髪に施与されたのち、その外観を変えるために、第一組成物内の磁性粒子の配向及び／又は位置を変更することができるために十分に強い磁場を作りだすように磁性デバイスがアレンジされてもよい。
【０２１４】
例えば、第一組成物が揮発性溶媒を含むときは、第一組成物が堆積された少し後に磁場がかけられて、第一組成物が乾燥する前に該第一組成物の外観を変化させる。
【０２１５】
例えば、第一組成物は、マニュキア液、ファンデーション、又は口紅であり得、上で定義されたような特徴を示し得る。
【０２１６】
磁性デバイスは上で定義されたようであり得る。
【０２１７】
キットは、第一組成物及び磁性デバイスを収容するためのコンパクトを含み得る。この場合、コンパクトは、種々の模様を作り出すために、例えば種々の形状の複数の磁石を含み得る。
【０２１８】
キットは第一組成物が施与される前に第一組成物に、又は表面に施与するための第二の化粧料組成物をもまた含み得る。
【０２１９】
第一組成物に施与するための、又は第一組成物により被覆されるための第二の化粧料組成物
第二組成物は透明であってもよく、例えば口唇、爪、又は皮膚への施与のためのものであってもよい。第二化粧料組成物は、第一組成物のために上述された成分の少なくとも１を含んでいてもよい。
【０２２０】
特に、第二組成物は、場合によって着色されていてもよい。第二組成物が着色剤を含み、特に第一組成物により被覆されるべきであるときには、着色されたベースを作り出す。
【実施例】
【０２２１】
本発明は、本発明の非制限的な実施の以下の詳細な説明を読み、かつ添付の図面を検討するとよりよく理解される。
【０２２２】
図面において、磁性粒子は、図面を理解しやすくするために点の形態で示されているが、実際には、個々の粒子は裸眼で見える必要はない。
【０２２３】
図１は、表面、例えば皮膚、口唇、爪、毛髪、又は付け爪にさえに堆積された後、組成物の外観に影響を及ぼす配向及び／又は位置を有する磁性粒子Ｐを含む第一組成物Ｃ１を含むキット１を示す。
【０２２４】
示された実施態様において、組成物Ｃ１は、キャップ３により閉じられている容器２に含まれたマニュキア液である。キャップは、マニュキアが爪に施与されることを可能にするブラシにより構成されるアプリケーター部材５を含む非磁性の化粧料アプリケーター４を支える。
【０２２５】
キット１は、第一組成物Ｃ１と接触することなく第一組成物Ｃ１の外観を変化させるのに有用である磁場を創り出すことを可能にする磁性デバイス１０をさらに含む。
【０２２６】
考慮下の実施態様において、磁性デバイス１０は、長尺軸Ｘの支持部材１３により支持された永久磁石１２を含み、磁石１２の極軸は軸Ｘと実質的に直交している。
【０２２７】
考慮下の実施態様において、磁性デバイス１０は、回転磁場を創り出すようにアレンジされ、支持部材１３をその軸Xの周りに回転させるように、ケーシング１５に格納されたモーター（示されていない）を含む。
【０２２８】
スイッチ１６が、ケーシング１５の上に存在して、ユーザーがモーターのスイッチを入れ、そうすることにより磁石１２と共に支持部材１３を回転させることを可能にする。
【０２２９】
示されていない変形において、回転磁場は、回転する場を作りだすように逐次的に作動される複数のソレノイドにより作り出される。
【０２３０】
キット１を使用するために、ユーザーは図３に示されるように、第一組成物Ｃ１をアプリケーター４によりメイクアップされるべき表面Ｓ、具体的には指の爪に施与することにより開始する。
【０２３１】
図４に示された次の工程において、ユーザーは磁性デバイス１０を表面Ｓの中央領域Ｒの上へもっていき、スイッチ１６を始動させて、磁石１２を回転させる。
【０２３２】
第一組成物Ｃ１に含まれる磁性粒子は、磁石１２の磁力線と並び、配向を変える傾向があり、そうすることにより組成物Ｃ１の外観に変化をもたらす。
【０２３３】
ユーザーは、所望される結果に応じて、磁場がかけられる時間の長さを選択することができる。
【０２３４】
例えば、得られた模様は、図５に示されるような、レリーフ状態の球の印象を与えることができる。
【０２３５】
もし必要であれば、ユーザーは、第一組成物Ｃ１が乾燥したら、第二組成物Ｃ２、例えば図６に示された容器に含まれた透明なマニュキア液を施与することができる。
【０２３６】
第二組成物Ｃ２を施与することは、例えば追加の深さの効果を作りだすことを可能にする。
【０２３７】
図１〜５のマニュキア液の実施態様において、第一組成物Ｃ１は、以下の配合を有し得、量は以下のすべての実施例において重量百分率で表される。
【０２３８】
【表１】
2008515474.tif 000003
【０２３９】
＊少なくとも１４％のＦｅ３Ｏ４を含む真珠層、カラロナパチナゴールド（１１７２８８）で参照され、メルク社により販売されている。
【０２４０】
そのようなマニュキアの外観はマニュキアが乾燥する時間を有する前に磁場をかけることにより変えられることができる。
【０２４１】
第二組成物Ｃ２が第一組成物に施与されるとき、第二組成物は以下の配合を有する。
【０２４２】
【表２】
2008515474.tif 000004
【０２４３】
そのような組成物は、追加の深さの効果を作り出すことを可能にする。
【０２４４】
変形において、第二組成物は着色されたベースを作ることを意図されてもよく、第一組成物の前に施与される。例えば、第二組成物は以下の配合を有する。
【０２４５】
【表３】
2008515474.tif 000005
【０２４６】
実施例Ａの組成物は、一つのタイプの磁性顔料のみを含む。
【０２４７】
以下の実施例は、組成物内に、磁性顔料及び別の着色物質、例えば可変の光学効果を有する顔料、この場合、ゴニオクロマチック顔料を有する可能性を示す。
【０２４８】
【表４】
2008515474.tif 000006
【０２４９】
この実施例において、磁性顔料は金色であり、該色はゴニオクロマチック顔料のカラーバス上に存在する。
【０２５０】
磁気的な励起なしでは、混合物は、何ら見える模様のないゴニオクロマチック効果を示し、磁性顔料の色はゴニオクロマチック効果をマスクしない。金色〜ピンクに変化するベースカラーを有する表面を見ることが可能である。
【０２５１】
対照的に、磁場をかけた後、磁力線と並ぶようになった磁性粒子は、ゴニオクロマチック顔料から生じる色の変化の上に重ねられるようになる模様を作り出す。すなわち、配向された磁性顔料の粒子により得られた金色に着色された模様が、観察者及び／又はメイクアップされた表面に関する何らかの配向条件に対して、ピンクのベース上に現れることができる。
【０２５２】
光学効果を有する他の顔料、特に下の実施例におけるように磁性顔料が使用されることができる。
【０２５３】
【表５】
2008515474.tif 000007
【０２５４】
＊少なくとも１４％のＦｅ３Ｏ４を含む真珠層、カラロナパチナゴールド（１１７２８８）で参照され、メルク社により販売されている。
＊＊フレックスプロダクツによりスペクトラフレアの商標名で販売されている顔料。
【０２５５】
当然に、該組成物の性質が何であれ、そこにかけられる磁場は回転する必要はない。例えば図７は、その末端に棒の形状の永久磁石１２を含む磁性デバイスを示す。
【０２５６】
磁場が回転しないとき、ユーザーは所望される結果に応じて例えば磁石を第一組成物の周辺へと動かすことができる。
【０２５７】
その性質が何であれ、磁性デバイスは、表面Ｓに磁性デバイスが相対的に位置付けられることを可能にする部材を含んでいてもよい。
【０２５８】
例えば、位置付ける部材は、磁場がかけられている間、磁性デバイスが組成物に触れることを妨げるように機能する。
【０２５９】
位置付ける部材は、表面Ｓ，例えば爪に対して作られる模様を中央に動かすようにもまた機能することができる。
【０２６０】
表面の性質に依存して、位置付ける部材は、種々の形態、例えば、図８に示されるように指の端を嵌めこむための迫台の面を提供する延長部分１７の形態をとることができる。
【０２６１】
図９は、この実施態様においては、液状の口紅又はリップグロスにより構成されている第一組成物Ｃ１を含む本発明のキット１の別の実施態様を示す。
【０２６２】
この実施態様において、アプリケーター４は、容器２のキャップ３により支持された、房にされた末端部２０を含む。
【０２６３】
例えば、磁性デバイス１０は、柔軟な構造の形態であり、例えば交互に並ぶＮ及びＳ極を作る、磁化された粒子で満たされたプラスチック物質からできており、そうすることにより、繰り返される模様、例えば縞を第一組成物で被覆された表面上に形成することを可能にする。
【０２６４】
例えば、口紅については、第一組成物Ｃ１は以下の配合を示す。
【０２６５】
【表６】
2008515474.tif 000008
【０２６６】
＊少なくとも１４％のＦｅ３Ｏ４を含む真珠層、エンゲルハードによりクロワゾネヌアンティークグリーン８２８  ＣＢの参照名で販売されている。
【０２６７】
本発明の別のキット１が図１０に示されている。この実施態様において、キット１はベース体３１及びそれに蝶番で取り付けられている蓋３２により構成されるコンパクト３０を含む。
【０２６８】
ベース体３１は、組成物Ｃ１を収容するコンパートメント３３を含み、該組成物は、示された実施態様においては、ペーストの形態のファンデーションにより構成されている。
【０２６９】
ベース体３１は、少なくとも１の磁石１２を受け入れるようにアレンジされたハウジング３４を含む。
【０２７０】
例えば、磁石１２は、接着面２５。又はユーザーが指の端に固定して、メイクアップされたゾーン、例えば図１１に示された顔の領域の近隣へともっていくことを可能にする任意の他の着装手段を示し得る。
【０２７１】
第一組成物Ｃ１を皮膚に施与した後、ユーザーは、磁石１２により作り出された磁場に該組成物を暴露することにより該組成物の透明さを変更することができる。
【０２７２】
例えば、ファンデーションの場合、該ファンデーションは以下の配合を有することができる。
【０２７３】
【表７】
2008515474.tif 000009
【０２７４】
＊少なくとも１４％のＦｅ３Ｏ４を含む真珠層、チミカヌアンティークブロンズ２４０ＡＢの名前でメルク社により販売されている。
【０２７５】
アプリケーターのタイプが何であれ、磁石１２は、適切であれば、アプリケーターに取り込まれ得る。
【０２７６】
図１２の実施態様において、アプリケーター部材５から遠い側の上にある磁石１２は、閉鎖キャップ３の上にある。
【０２７７】
図１３の実施態様において、磁石１２は、キャップ５１が上にある支持部材１３により支持されており、使用していないときには、第一組成物Ｃ１を含む容器２を閉鎖するためのキャップ３のコンパートメント５０に格納されることができる。キャップ５１は、磁石１２のハンドルとして機能し、コンパートメント５０を閉鎖するためにもまた機能する。
【０２７８】
磁場が永久磁石による代わりに電磁石により作り出されることは本発明の範囲を超えない。
【０２７９】
図１４は、第一組成物Ｃ１を含むポット、及び電力供給を格納するケーシング４４の末端に電磁石４０を含む磁性デバイス１０により構成される容器２を含むキット１を示す。
【０２８０】
スイッチ４５は、電磁石４０がユーザーにより選択的にスイッチを入れられることを可能にする。
【０２８１】
組成物Ｃ１をパッケージングする、及び／又は分配する、又は施与するための上記のデバイス以外の種々のデバイスが使用されることができる。
【０２８２】
例えば、組成物Ｃ１が、アプリケーターを使用しないでスプレーの形態で、例えば図１５に示されるようなポンプ６０を使用することにより表面Ｓの上に堆積されることができる。噴霧は、エアブラシにより、又は例えば圧力をかけられた容器によってもまた発生されることができる。
【０２８３】
図１６に示されるような、その穴の模様７１が星型である穴のあいたマスク７０が噴霧器とメイクアップされるべき表面の間に介在されることができる。
【０２８４】
磁場を通す、場合によって穴が開けられていてもよいシート７５が、磁石１２又は電磁石４０と表面Ｓの間に介在されて、磁力線の形状を変化させ、新規な効果を作り出すことができる。
【０２８５】
当然、本発明は上に与えられた実施例に制限されない。
【０２８６】
例えば、キットは、種々の模様を作れるように種々の形状を有する複数の磁石を含んでいてもよい。
【０２８７】
特許請求の範囲を含めて本明細書を通じて、表現「〜を含む」は、その反対であると明示されない限り「少なくとも１の〜を含む」と同義であると理解されるべきであり、表現「〜の範囲」は、範囲の限界を含むと理解されるべきである。
【図面の簡単な説明】
【０２８８】
【図１】本発明のキットの実施例を示す線図である。
【図２】図１の磁性デバイスを示す図形的かつ断片的な軸切断図である。
【図３】使用されているキットを示す線図である。
【図４】使用されているキットを示す線図である。
【図５】本発明により得られることのできる模様の例を示す。
【図６】表面に施与されるのに適切である第二組成物を含む容器を示す線図である。
【図７】使用されることのできる磁性デバイスの別の実施例を分離して示す線図である。
【図８】メイクアップされた表面と向き合う磁石を位置付けるための位置付け部材を備えられた図６の磁性デバイスを示す線図である。
【図９】本発明のキットの別の実施例の線図である。
【図１０】本発明のキットの別の実施例の線図である。
【図１１】使用されている図１０のキットを示す。
【図１２】磁性デバイスに保持されたアプリケーターの例を、正面において及び独立して示す線図である。
【図１３】本発明のキットの別の実施例の軸及び図式の切断である。
【図１４】本発明のキットの別の実施例を示す線図である。
【図１５】第一組成物のための包装用デバイスの別の実施例を示す。
【図１６】本発明の方法の実施の間に使用されるのに適する穴の開いたマスクを示す。
【図１７】本発明の方法の実施の間に使用されるのに適する磁性シートを示す。
【符号の説明】
【０２８９】
１         キット
２         容器
３         閉鎖キャップ
４         化粧料アプリケーター
５         アプリケーター部材
１０       磁性デバイス
１２       永久磁石
１３       支持部材
１５       ケーシング
１６       スイッチ
１７       延長部分
２０       房にされた末端部
２５       接着面
３０       コンパクト
３１       ベース体
３２       蓋
３３       コンパートメント
３４       ハウジング
４０       電磁石
４４       ケーシング
４５       スイッチ
５０       コンパートメント
５１       キャップ
６０       ポンプ
７０       マスク
７１       模様
７５       シート
Ｃ１       第一組成物
Ｃ２       第二組成物
Ｐ         磁性粒子
Ｒ         中央領域
Ｓ         表面
Ｘ         軸
【図１】
2008515474.tif 000010
【図２】
2008515474.tif 000011
【図３】
2008515474.tif 000012
【図４】
2008515474.tif 000013
【図５】
2008515474.tif 000014
【図６】
2008515474.tif 000015
【図７】
2008515474.tif 000016
【図８】
2008515474.tif 000017
【図９】
2008515474.tif 000018
【図１０】
2008515474.tif 000019
【図１１】
2008515474.tif 000020
【図１２】
2008515474.tif 000021
【図１３】
2008515474.tif 000022
【図１４】
2008515474.tif 000023
【図１５】
2008515474.tif 000024
【図１６】
2008515474.tif 000025
【図１７】
2008515474.tif 000026
【国際調査報告】
2008515474.tif 000027
2008515474.tif 000028
2008515474.tif 000029
2008515474.tif 000030
2008515474.tif 000031
2008515474.tif 000032